(57)【要約】 【課題】  使用者が油タンク内への水の混入を容易に確認でき、かつ安価に提供できる液体燃料燃焼装置の給油装置を得ることを目的とするものである。【解決手段】  液体燃料を貯える油タンク３と、液体燃料を油タンク３へ給油するカートリッジタンク１と、カートリッジタンク１からの液体燃料を油タンク３へ給油するときのゴミの侵入を防ぐ給油フィルター２を備え、前記給油フィルター２は、ゴミの侵入を防ぐ網２ａを側面部に有し、底面部には液体が溜まるように形成された凹部２ｂを有し、この凹部２ｂ内に水検知シート６を設けている。【選択図】      図１
2005308368.tif 000002
【特許請求の範囲】
【請求項１】
液体燃料を貯える油タンクと、液体燃料を油タンクへ給油するカートリッジタンクと、カートリッジタンクからの液体燃料を油タンクへ給油するときのゴミの侵入を防ぐ給油フィルターを備え、前記給油フィルター内に水が接触すると変色する水検知シートを設けたことを特徴とする液体燃料燃焼装置の給油装置。
【請求項２】
前記給油フィルターは、ゴミの侵入を防ぐ網を側面部に有し、底面部には液体が溜まるように形成された凹部を有し、この凹部内に水が接触すると変色する水検知シートを設けたことを特徴とする請求項１記載の液体燃料燃焼装置の給油装置。
【請求項３】
液体燃料を貯える油タンクと、液体燃料を油タンクへ給油するカートリッジタンクと、カートリッジタンクからの液体燃料を油タンクへ給油するときのゴミの侵入を防ぐ給油フィルターを備え、前記油タンクは、前記給油フィルターを外したときに、外部から視認できる位置で、かつ混入した水が溜まるように形成された凹部を有し、この凹部内に水が接触すると変色する水検知シートを設けたことを特徴とする液体燃料燃焼装置の給油装置。
【発明の詳細な説明】
【技術分野】
【０００１】
本発明は、液体燃料を気化させて燃焼させる液体燃料燃焼装置の給油装置に関するものである。
【背景技術】
【０００２】
従来の液体燃料燃焼装置の給油装置は、絶縁されている２箇所の電極間に油タンク内に混入した水を溜める構造とし、水と液体燃料の電気抵抗の差により水検知を行う水検知機能を備えている（例えば，特許文献１参照）。
【０００３】
【特許文献１】特開２００２−２４３５２５号公報（第４頁、図１）
【発明の開示】
【発明が解決しようとする課題】
【０００４】
液体燃料燃焼装置では、液体燃料を貯える油タンク内に水が混入した場合、油タンクの底面に水が溜まり、電磁ポンプの吸入口の上まで水が溜まると、バーナへ水が送られるため、異常消火することとなる。水検知機能が付いていない液体燃料燃焼装置の場合、使用者は油タンク内の水を確認せずに異常消火と判断し、修理に出すことがあった。
一方、前記特許文献１のように、絶縁されている２箇所の電極間に水を溜める構造とし、水と液体燃料の電気抵抗の差により水混入の検知を行う水検知機能付きものにあっては、絶縁された２本の電極、その間の電気抵抗を検知する手段、その間を繋ぐ配線等が必要となり、コストが高くなるという課題を有していた。
【０００５】
本発明は，上記の課題を解決するためになされたもので、使用者が油タンク内への水の混入を安価でかつ容易に確認できる液体燃料燃焼装置の給油装置を提供するものである。
【課題を解決するための手段】
【０００６】
本発明に係る液体燃料燃焼装置の給油装置は、液体燃料を貯える油タンクと、液体燃料を油タンクへ給油するカートリッジタンクと、カートリッジタンクからの液体燃料を油タンクへ給油するときのゴミの侵入を防ぐ給油フィルターを備え、前記給油フィルター内に水が接触すると変色する水検知シートを設けたことを特徴とする。
【発明の効果】
【０００７】
本発明に係る液体燃料燃焼装置の給油装置によれば、油タンク内に水が混入した場合に、給油フィルター内に設置された水検知シートに水と接触し、水検知シートが変色するため、使用者が容易に自分の目で水の混入を視認できる。また、水検知シートを設置するだけでよく、従来のように２本の電極を用いて水検知を行う方法に比べ、安価に提供することができる。
【発明を実施するための最良の形態】
【０００８】
実施の形態１.
【０００９】
以下、本発明の実施の形態１を図１〜図３に基づいて説明する。
図１は、本発明の実施の形態１を示す液体燃料燃焼装置の縦断面図であり、図２は本発明の実施の形態１を示す給油フィルターの詳細図であり、図３は本発明の実施の形態１を示す水検知シートの上部から見た図である。
【００１０】
図１〜図３において、カートリッジタンク１は液体燃料を油タンク３に給油する。給油フィルター２はカートリッジタンク１から油タンク３に給油されるときに、油タンク３内へのゴミの侵入を防ぐように、カートリッジタンク１と油タンク３との接続部に設けられている。油タンク３の上面には電磁ポンプ４が取り付けられ、この電磁ポンプ４で汲み上げられた液体燃料はバーナ５へと送油される。バーナ５は電磁ポンプ４によって送油された液体燃料をあらかじめ気化させた後、燃焼用空気と混合させて着火手段（図示せず）により着火して燃焼させる。前記給油フィルター２は、ゴミの侵入を防ぐ網２ａを側面部に有し、底面部には液体が溜まるように形成された凹部２ｂを有し、この凹部２ｂ内に水検知シート６を設けている。前記水検知シート６は水が接触すると変色するもので、例えば、無水硫酸銅，無水硝酸コバルト，シリカゲルのように水と反応し、色が変わる材料をシート表面に担持させたものである。
【００１１】
次に、上記の構成の作用について説明する。
カートリッジタンク１内の液体燃料に水が混入している場合、最初に給油フィルター２に水が侵入することになる。水がさらに多く混入してくると、給油フィルター２の側面の網２ａを通り、油タンク３内にも侵入する。前記給油フィルター２の凹部２ｂ内に侵入した水は、最初は液体燃料があったとしても、比重の関係により水が下層となるように入れ替わる。このため、設置してある水検知シート６と水が接触し、水検知シート６が変色することとなる。
これにより、使用者は、カートリッジタンク１を油タンク３から取り除けば、水検知シート６の変色に気づき、水が混入していることを自分の目で容易に視認することができる。
また、バーナ５の燃焼が異常消火した場合にも、カートリッジタンク１を取り除いて、水検知シート６の変色の有無をみれば、異常消火の原因が水の混入によるものなのか、それとも別の原因によるものなのかを容易に判断できる。
【００１２】
以上のように、実施の形態1によれば、油タンク３内に水が混入した場合に、給油フィルター２内に設置された水検知シート６が水と接触し、水検知シート６が変色するため、使用者が容易に自分の目で水の混入を視認できる。また、水検知シート６を給油フィルター２内に設置するだけでよく、従来のように、２本の電極を用いて水検知を行う方法に比べ、安価に提供することができる。
【００１３】
実施の形態２
【００１４】
以下、本発明の実施の形態２を図４に基づいて説明する。
図４は、本発明の実施の形態２を示す液体燃料燃焼装置の構成図である。
この実施の形態２では、図４に示すように、油タンク３の底面部には凹部３ａを有し、この凹部３ａ内に水が接触すると変色する水検知フシート６を設けたものである。
前記凹部３ａは、給油フィルター２を外したときに、外部から視認できる位置で、かつ混入した水が溜まるように前記給油フィルター２のほぼ直下に位置して設けられている。
【００１５】
この実施の形態２の構成においては、カートリッジタンク１内の液体燃料に水が混入している場合、給油フィルター２に水が侵入する。水がさらに多く混入してくると、給油フィルター２の側面の網２ａを通り、油タンク３内に侵入する。侵入した水は油タンク３の凹部３ａに集まるため、そこに液体燃料があったとしても、比重の関係により水が下層となるように入れ替わる。このため、凹部３ａに設置してある水検知シート６と水が接触し、水検知シート６が変色することとなる。
【００１６】
これにより、使用者は、油タンク３からカートリッジタンク１と給油フィルター２を取り除いて、水検知シート６の変色の有無をみることにより、水が混入しているかどうかを容易に確認できる。また、バーナ５の燃焼が異常消火した場合も、カートリッジタンク１と給油フィルター２を取り除いて、水検知シート６の変色の有無をみることで、異常消火の原因が水の混入によるものなのか、それとも別の原因によるものなのかを容易に判断できる。
【００１７】
以上のように、実施の形態２の構成でも、実施の形態１と同等の効果が得られる。
【図面の簡単な説明】
【００１８】
【図１】本発明の実施の形態１を示す液体燃料燃焼装置の縦断面図である。
【図２】本発明の実施の形態１を示す給油フィルターの詳細図である。
【図３】本発明の実施の形態１を示す水検知シートの上部から見た図である。
【図４】本発明の実施の形態２を示す液体燃料燃焼装置の縦断面図である。
【符号の説明】
【００１９】
１    カートリッジタンク
２    給油フィルター
２ａ    網
２ｂ    凹部
３    油タンク
３ａ    凹部
４    電磁ポンプ
５    バーナ
６    水検知シート
【図１】
2005308368.tif 000003
【図２】
2005308368.tif 000004
【図３】
2005308368.tif 000005
【図４】
2005308368.tif 000006